(57)【特許請求の範囲】
【請求項１】
親綱が張設されるベルトと、このベルトの一端に取付けたフックと、このフックと上記ベルトの他端間に介挿される連結装置とより成り、上記連結装置が、上記フックを掛け止め可能な一端を有するベースと、このベースに摺動自在に連結したスライダーと、このスライダーに形成したベルトの他端を貫通せしめる貫通孔と、その基端を上記ベースの他端に回動自在に枢支した、上記スライダーの上面を開閉可能なレバーと、このレバーの遊端を上記スライダーに掛止せしめる釈放自在なストッパーと、上記レバーを上記スライダーの上面を覆うよう回動したとき上記スライダーを上記ベースの上記一端方向に押し出すよう上記レバーに形成した係合面と、上記スライダーに設けられた、ベルト貫通孔を貫通したベルトを掛止するためこのベルトに常時係合するよう抑制されるベルト掛止板とにより構成されていることを特徴とする親綱張設装置。
【発明の詳細な説明】
【０００１】
【発明の属する技術分野】
本発明は親綱張設装置、特に、建築現場等において用いる安全のための親綱張設装置に関するものである。
【０００２】
【従来の技術】
ビルなどの建築現場や高速道路の高架部分など高所で作業する場合には、図６に示すように足場１を組立てるとともに、鉄柱２と鉄柱２の間に親綱３張設し、短いロープ４の一端を作業員５が着用しているベルトなどに連結し、ロープ４の他端に取付けられている掛金６を親綱３に移動自在に掛け止めておき、作業員５が足場１から落ちそうになっても、作業員５がロープ４によって親綱３に繋ぎ止められ、落下を防止するような安全装置が使用されている。
【０００３】
上記の安全装置において、親綱３を鉄柱２と鉄柱２の間に張設するためには、各鉄柱２の角部に親綱フック７，７を溶接し、これらに、親綱３の両端に取付けられている掛金８，８を掛け止めるようにしている。
【０００４】
また、実用新案登録第3045613号公報に示す親綱張設装置では、上記親綱が張設されるベルトを複数の柱の夫々を囲むように配設し、上記柱の一つに溶接されているベルト締付機に上記ベルトの一端を連結し、ベルトの他端をベルト締付機の巻取りドラムに巻回し、この巻回長さをベルト締付機のレバーの起伏の繰り返しによって調節し、ベルトを締付けるようにしている。
【０００５】
【発明が解決しようとする課題】
然しながら上記従来の親綱張設装置はベルトを建築現場でベルト締付機に取付けるものであるため、そのための現場作業が必要となって危険であると共に、ベルトの締付操作がワンタッチにはできず、作業が複雑で時間がかかり、また、不用意にレバーが遊動してベルトが緩む恐れがある等の欠点があった。
【０００６】
本発明は上記の欠点を除くようにしたものである。
【０００７】
【課題を解決するための手段】
本発明の親綱張設装置は、親綱が張設されるベルトと、このベルトの一端に取付けたフックと、このフックと上記ベルトの他端間に介挿される連結装置とより成り、上記連結装置が、上記フックを掛け止め可能な一端を有するベースと、このベースに摺動自在に連結したスライダーと、このスライダーに形成したベルトの他端を貫通せしめる貫通孔と、その基端を上記ベースの他端に回動自在に枢支した、上記スライダーの上面を開閉可能なレバーと、このレバーの遊端を上記スライダーに掛止せしめる釈放自在なストッパーと、上記レバーを上記スライダーの上面を覆うよう回動したとき上記スライダーを上記ベースの上記一端方向に押し出すよう上記レバーに形成した係合面と、上記スライダーに設けられた、ベルト貫通孔を貫通したベルトを掛止するためこのベルトに常時係合するよう抑制されるベルト掛止板とにより構成されていることを特徴とする。
【０００８】
【発明の実施の形態】
以下図面によって本発明の実施例を説明する。
【０００９】
本発明の親綱張設装置は図１〜図５に示すように親綱が張設されるベルト１１と、このベルト１１の一端に固定したフック１２と、上記ベルト１１の他端に連結した連結装置１３とにより構成する。
【００１０】
上記連結装置１３は、矩形板状のベース１４と、このベース１４の一端に上記フック１２を着脱自在に連結せしめるために取り付けたピン１５と、上記ベース１４上に形成した長孔１６と、この長孔１６に沿って上記ベース１４の一端方向に摺動自在となるよう上記ベース１４上に配置したスライダー１７と、このスライダー１７の一端にスライダー１７に沿ってその他端方向に摺動自在に設けたストッパー１８と、上記スライダー１７の他端に形成した上記ベルト１１の他端を挿通せしめるベルト貫通孔１９と、その基端を上記ベース１４の他端にピン２０を介して回動自在に枢支した上記スライダー１７の上面を開閉可能な断面コ字状のレバー２１と、上記ストッパー１８の一端側に係合するよう上記レバー２１の遊端に形成した爪部２２と、上記スライダー１７の他端側面に突出固定した突出ピン２３と、この突出ピン２３を押して上記スライダー１７を上記ベース１４に沿ってその上記ピン１５の方向に移動せしめるよう上記レバー２１の側面に形成した弧状面や傾斜面等の係合面２４と、上記ベース１４の下面に突出して形成した磁石２５と、上記スライダー１７のベルト貫通孔１９の出口にその先端歯状部２６が離接自在となって上記ベルト貫通孔１９を貫通した上記ベルト１１を上記スライダー１７に釈放把持自在ならしめるようその中間部を上記スライダー１７に回動自在に枢支したベルト掛止板２７とにより構成せしめる。
【００１１】
なお、上記ストッパー１８はスプリング２８によって上記スライダー１７に相対的に常時スライダー１７の一端側に抑制せしめ、上記ベルト掛止杆２７はスプリング（図示せず）によって常時その先端歯状部２６が上記スライダー１７のベルト貫通孔１９を貫通するベルト１１に係合する方向に抑制せしめる。
【００１２】
本発明の親綱張設装置は上記のような構成であるから、予めベルト１１を上記スライダー１７のベルト貫通孔１９に貫通せしめてベルト１１の長さを略所望の値ならしめた状態として建築現場に持ち込み、現場における柱に沿って作業現場を区切った後フック１２をベース１４のピン１５に引っ掛ける。
【００１３】
この状態では上記スライダー１７のベルト貫通孔１９を貫通したベルト１１はスライダー１７によって把持され、ベルト１１は柱を介して十分締め付けられた緊張状態にあるが、この状態で更に上記レバー２１を図１において時計方向に回動せしめてその遊端の爪部２２をストッパー１８に係合せしめれば、同時にレバー２１の係合面２４が突出ピン２３を押してスライダー１７をベース１４の他端から一端側に移動せしめるので、ベルト１１はスライダー１７のストロークに応じた距離だけ更に締め付けられるようになる。
【００１４】
この状態ではスライダー１７がその他端方向に移動しようとしてもレバー２１の係合面２４によって阻止され、また、上記レバー２１によって上記掛止杆２７が覆われるようになるので、上記掛止杆２７がみだりに回動されることなく、従って、ベルト１１の掛止が解けて不用意に緩められる惧れが全くない。
【００１５】
なお、上記磁石２５はこれを柱に吸着せしめておけば上記連結装置３の脱落を未然に防ぐことができるようになる。
【００１６】
【発明の効果】
上記のように本発明の親綱張設装置によれば、所望長さのベルト１１を連結装置３に結合した状態で現場に運ぶことができ、従って現場での取付けはフック１２をピン１５に引っ掛けるだけで良く極めて簡単となる。
【００１７】
また、ベルト１１の締付けをレバー２１の回動によるワンタッチで行なうことができるためその締付作業が極めて簡単となるばかりでなく、レバー２１がスライダー１７を押して略水平になった状態でレバー２１の爪部２２がストッパー１８に掛止されるようになるため、ストッパー１８をスプリング２８によって移動せしめない限りレバー２１をスライダー１７から離脱することができず、また、この状態では掛止杆２７がレバー２１によって覆われるため、掛止杆２７が誤まって作動され、ベルト１１が緩む等のことが阻止されるため極めて安全である等大きな利益がある。
【図面の簡単な説明】
【図１】本発明の親綱張設装置の正面図である。
【図２】図１に示す親綱張設装置の平面図である。
【図３】図１においてレバーを閉じた状態を示す正面図である。
【図４】図３に示す親綱張設装置の平面図である。
【図５】図１に示す親綱張設装置の斜視図である。
【図６】従来の親綱張設現場の説明図である。
【符号の説明】
１  足場
２  鉄柱
３  親綱
４  ロープ
５  作業員
６  掛金
７  フック
８  掛金
１１  ベルト
１２  フック
１３  連結装置
１４  ベース
１５  ピン
１６  長孔
１７  スライダー
１８  ストッパー
１９  貫通孔
２０  ピン
２１  レバー
２２  爪部
２３  突出ピン
２４  係合面
２５  磁石
２６  先端歯状部
２７  掛止杆
２８  スプリング
【図１】
0003608113.tif 000002
【図２】
0003608113.tif 000003
【図３】
0003608113.tif 000004
【図４】
0003608113.tif 000005
【図５】
0003608113.tif 000006
【図６】
0003608113.tif 000007